(57)【特許請求の範囲】
【請求項１】
肌対向面及び非肌対向面を有する裏面シートと、前記裏面シートの前記非肌対向面に配置された粘着部とを備え、長手方向、幅方向及び厚さ方向を有する吸収性物品であって、
前記吸収性物品は、平面視にて、少なくとも前記長手方向に伸長可能である伸長領域を有し、
前記裏面シートは、前記伸長領域と、前記厚さ方向に重複する位置に、非肌対向面側に突出した複数の突状部が、前記幅方向にそれぞれ延在し、前記長手方向に並設されている伸長構造領域を有し、
前記複数の突状部のそれぞれは、前記非肌対向面がフラットな底部と、前記長手方向において、前記底部の前記長手方向の両端に隣接して存在する壁部とからなり、
前記粘着部は、前記裏面シートの前記伸張構造領域における、少なくとも２つの前記底部の全面と、前記少なくとも２つの前記底部の間に存在する前記壁部の全面とに配置されている、ことを特徴とする前記吸収性物品。
【請求項２】
前記伸長構造領域の前記非肌対向面側の表面積に対する前記底部の合計面積率は、２０〜４０％であり、前記長手方向における前記複数の突状部のピッチは、前記複数の突状部の深さの２．０倍〜５．０倍である、請求項１に記載の吸収性物品。
【請求項３】
前記粘着部の粘着面に対する、前記底部に配置されている前記粘着部の粘着面の面積と、前記壁部に配置されている前記粘着部の粘着面の面積との割合が、それぞれ３０〜５％と７０〜９５％である、請求項１又は２に記載の吸収性物品。
【請求項４】
前記吸収性物品は、前記厚さ方向において、前記伸長構造領域と重複する位置に、前記粘着部及び前記粘着部が配置されていない非粘着部からなる粘着部配置領域をさらに備え、
前記粘着部配置領域における粘着力は、前記伸長領域を前記長手方向に２０％伸長させるのに必要な力よりも大きい、請求項１〜３のいずれか一項に記載の吸収性物品。
【請求項５】
前記吸収性物品は、前記裏面シートの肌対向面側であって、前記厚さ方向において、前記伸長構造領域と重複する位置に、伸縮性シートをさらに有する、請求項１〜４のいずれか一項に記載の吸収性物品。
【請求項６】
前記吸収性物品は、平面視にて、排泄口対応領域と、前記排泄口対応領域の後方側に位置する後方領域と、を有し、
前記伸長構造領域は、少なくとも前記後方領域に存在する、請求項１〜５のいずれか一項に記載の吸収性物品。
【請求項７】
前記吸収性物品は、平面視にて、前記伸長領域よりも低い伸長率を有する又は非伸長である低伸長領域をさらに有し、
前記低伸長領域は、前記長手方向における前方の端縁を含む領域と、後方の端縁を含む領域とに少なくとも存在する、請求項１〜６のいずれか一項に記載の吸収性物品。
【発明の詳細な説明】
【技術分野】
【０００１】
本発明は、生理用ナプキン、パンティライナー、失禁パッド等の吸収性物品に関する。
【背景技術】
【０００２】
生理用ナプキン、パンティライナー、失禁パッド等の吸収性物品は、着用者の股間部に接触しながら長時間着用されるものであるため、着用者に違和感や不快感などを生じさせないように、着用者の身体形状に追従して変形し易い（すなわち、フィット性に優れた）吸収性物品が検討されている。
【０００３】
そのような吸収性物品として、例えば、特許文献１には、吸収性物品を形成する液不透過性の裏面シート等の部材を伸長又は伸縮自在な材料で形成した前記吸収性物品が提案されている。この特許文献１に開示された吸収性物品によれば、吸収性物品の着用者に対する身体適合性（すなわち、フィット性）を改善することができるとされている。
【先行技術文献】
【特許文献】
【０００４】
【特許文献１】特開２００３−３８５７４号公報
【発明の概要】
【発明が解決しようとする課題】
【０００５】
この特許文献１に開示された伸長性又は伸縮性の吸収性物品は、蛇腹状に賦形された裏面シートを有し、該裏面シートの非肌対向面側には、当該吸収性物品を着用者のショーツに固定するための粘着部が配置されている。ここで、図５は、特許文献１に開示される生理用ナプキン１’における、蛇腹状に賦形された裏面シート２３’とショーツＵ’とが接合する様子を模式的に示す図である。具体的には、図５（ａ）は、裏面シート２３’の突状部Ｂ１’が粘着部９’を介してショーツＵ’に接触している状態を示しており、図５（ｂ）は、ショーツＵ’が伸長し、裏面シート２３’がショーツＵ’から一部剥離している状態を示しており、そして図５（ｃ）は、ショーツＵ’が更に伸長した着用状態を示している。
【０００６】
図５に示すように、生理用ナプキン１’は、裏面シート２３’と、裏面シート２３’の蛇腹状領域（すなわち、蛇腹状に賦形された領域）の非肌対向面側に配置された粘着部９’とを備える。さらに、生理用ナプキン１’においては、前記蛇腹状領域が、非肌対向面側に突出し、幅方向と平行に延在し、長手方向に並設されている複数本の突状部Ｂ１’を備え、複数の突状部Ｂ１’のそれぞれは、曲面形状を有する溝部Ｂ２’（すなわち、突状部Ｂ１’において、厚さ方向における深さが最も深い部分）と、基部Ｂ４’（すなわち、前記突状部Ｂ１’において、厚さ方向における深さが最も浅い部分）とを備えた構造を有している。
【０００７】
一般に、生理用ナプキン等の吸収性物品は、着用者によりショーツに配置されて、前記溝部が前記粘着部を介してショーツに接合され（以下、「吸収性物品がショーツに仮固定される」というものとする。）、その後、着用者によりショーツが臀部に引き上げられて着用される。しかし、従来の生理用ナプキン１’のように、溝部Ｂ２’が曲面形状であると、ショーツＵ’と溝部Ｂ２’との接触面積が小さいので、粘着部９’を介したショーツＵ’と溝部Ｂ２’との接合強度を確保し難く、仮固定し難い（図５（ａ）を参照のこと。）。そして、仮固定しにくいと、着用者がショーツＵ’を臀部に引き上げて、ショーツＵ’が着用者の臀部に沿って伸びたときに、当該生理用ナプキン１’がショーツＵ’との接合状態を維持し難く（図５（ｂ）、特に実線で囲った領域Ｒを参照のこと。）、ショーツＵ’の伸びに追従しきれなくなり易い。その結果、従来の生理用ナプキン１’は、ショーツＵ’から一旦剥離して基部Ｂ４’が肌対向面側に隆起したままショーツＵ’に接合した状態（図５（ｃ）を参照のこと。）となる等、裏面シート２３’の任意の部位が隆起したまま生理用ナプキン１’がショーツＵ’に接合してしまい易く、着用者が吸収性物品の位置を修正する必要のある虞がある。
【０００８】
そこで、本発明は、着用者が、吸収性物品の着用に当たり、ショーツの引き上げ後、吸収性物品の位置を修正する必要性が少ない吸収性物品を提供することを目的とする。
【課題を解決するための手段】
【０００９】
本発明に係る吸収性物品は、肌対向面及び非肌対向面を有する裏面シートと、前記裏面シートの前記非肌対向面に配置された粘着部とを備え、長手方向、幅方向及び厚さ方向を有する吸収性物品であって、
前記吸収性物品は、平面視にて、少なくとも前記長手方向に伸長可能である伸長領域を有し、
前記裏面シートは、非肌対向面側に突出した複数の突状部が、前記幅方向にそれぞれ延在し、前記長手方向に並設されている伸長構造領域を有し、
前記伸長領域は、前記厚さ方向において、前記伸長構造領域と重複する位置に存在し、
前記複数の突状部のそれぞれは、前記非肌対向面がフラットな底部と、前記長手方向において、前記底部の前記長手方向の両端に隣接して存在する壁部とからなり、
前記粘着部は、少なくとも２つの前記底部と、前記少なくとも２つの前記底部の間に存在する前記壁部とに配置されている。
【発明の効果】
【００１０】
本発明によれば、着用者が、吸収性物品の着用に当たり、ショーツの引き上げ後、吸収性物品の位置を修正する必要性が少ない吸収性物品を提供することができる。
【図面の簡単な説明】
【００１１】
【図１】図１は、本発明の一実施形態に係る生理用ナプキン１を展開した状態で表面シート側から厚さ方向に見た平面図である。
【図２】図２は、本発明の一実施形態に係る生理用ナプキン１を展開した状態で裏面シート側から厚さ方向に見た平面図である。
【図３】図３は、本発明の一実施形態に係る生理用ナプキン１における、長手方向に延びる幅方向中央軸線ＣＬに沿った長手方向断面の端面図である。
【図４】図４は、本発明の一実施形態に係る生理用ナプキン１を説明するための図である。
【図５】図５は、従来の生理用ナプキン１’を説明するための図である。
【図６】図６は、本発明の一実施形態に係る生理用ナプキン１に用いられる吸収体２２の伸長していない状態（自然状態）の平面図である。
【図７】図７は、本発明の一実施形態に係る生理用ナプキン１に用いられる吸収体２２の伸長状態を模式的に示す平面図である。
【図８】図８は、裏面シートの非肌対向面に配置された粘着部配置領域の粘着力を測定する方法を説明するための模式図である。
【図９】図９は、本発明の一実施形態に係る生理用ナプキン１の製造装置の全体概略図である。
【図１０】図１０は、本発明の一実施形態に係る生理用ナプキン１の裏面シート２３の製造装置の模式図である。
【発明を実施するための形態】
【００１２】
［態様１］
肌対向面及び非肌対向面を有する裏面シートと、前記裏面シートの前記非肌対向面に配置された粘着部とを備え、長手方向、幅方向及び厚さ方向を有する吸収性物品であって、
前記吸収性物品は、平面視にて、少なくとも前記長手方向に伸長可能である伸長領域を有し、
前記裏面シートは、前記伸長領域と、前記厚さ方向に重複する位置に、非肌対向面側に突出した複数の突状部が、前記幅方向にそれぞれ延在し、前記長手方向に並設されている伸長構造領域を有し、
前記複数の突状部のそれぞれは、前記非肌対向面がフラットな底部と、前記長手方向において、前記底部の前記長手方向の両端に隣接して存在する壁部とからなり、
前記粘着部は、少なくとも２つの前記底部と、前記少なくとも２つの前記底部の間に存在する前記壁部とに配置されている、ことを特徴とする前記吸収性物品。
【００１３】
本態様に係る吸収性物品では、裏面シートの伸長構造領域が、所定の底部と、所定の壁部とを備える、複数の突状部を有し、そして粘着部が、少なくとも２つの突状部の底部と、それらの間の壁部とに配置されている。従って、着用者が吸収性物品を着用するに当たり、両脚の大腿部で保持したショーツに吸収性物品を置いた際に、吸収性物品が、フラットな底部に配置された粘着部によりショーツに十分に固定され、吸収性物品が、ショーツへの優れた仮固定性を有する。次いで、着用者が、ショーツを着用者の臀部に引き上げた際には、ショーツは少なくとも前後方向に伸びるのが一般的であるが、上記吸収性物品は、仮固定性に優れるため、ショーツの伸びに追従して伸びることができる。
吸収性物品がショーツの伸びに追従して伸びると、上記壁部とショーツとの距離が近づき、最終的には、吸収性物品が、上記壁部に配置された粘着部によりショーツに十分に固定され、吸収性物品がショーツへの優れた本固定性を有する。なお、上記吸収性物品は、仮固定性に優れ、ショーツの伸びに追従して伸びることができるので、粘着部がいかなる配置形態で配置されていても、裏面シートの任意の部位が隆起したままショーツに接合してしまう虞も少ない。
以上より、上記吸収性物品は、仮固定性及び本固定性に優れ、着用者が、吸収性物品の着用に当たり、ショーツの引き上げ後、吸収性物品の位置を修正する必要性が少ない。
【００１４】
［態様２］
前記伸長構造領域の前記非肌対向面側の表面積に対する前記底部の合計面積率は、２０〜４０％であり、前記長手方向における前記複数の突状部のピッチは、前記複数の突状部の深さの２．０倍〜５．０倍である、態様１に記載の吸収性物品。
【００１５】
本態様に係る吸収性物品では、伸長構造領域が、所定の底部の合計面積率と、所定の突状部のピッチとを有する。従って、上記吸収性物品が、伸長領域の伸長性と、仮固定性と、本固定性とに優れる。
【００１６】
［態様３］
前記底部に配置されている前記粘着部の粘着面と、前記壁部に配置されている前記粘着部の粘着面とが、５〜３０％及び７０〜９５％の面積比を有する、態様１又は２に記載の吸収性物品。
【００１７】
本態様に係る吸収性物品において、粘着部が、所定の面積比で、底部と、壁部とに存在するので、上記吸収性物品が、仮固定性と、本固定性とに優れ、着用者が、吸収性物品の着用に当たり、ショーツの引き上げ後、吸収性物品の位置を修正する必要性が少ない。
【００１８】
［態様４］
前記吸収性物品は、前記厚さ方向において、前記伸長構造領域と重複する位置に、前記粘着部及び前記粘着部が配置されていない非粘着部からなる粘着部配置領域をさらに備え、
前記粘着部配置領域における粘着力は、前記伸長領域を前記長手方向に２０％伸長させるのに必要な力よりも大きい、態様１〜３のいずれか一項に記載の吸収性物品。
【００１９】
本態様に係る吸収性物品は、前記粘着部配置領域における粘着力が、前記伸長領域を２０％伸長させるのに必要な力よりも大きいことにより、ショーツが着用者の臀部の形状に応じて一定程度伸長しても（すなわち、２０％以下の範囲で伸長しても）、当該吸収性物品における伸長領域は、ショーツから剥離せずにショーツの伸長に追従し易いので、着用者が、ショーツを臀部に引き上げた後に、吸収性物品の位置を修正する必要性が少ない。
【００２０】
［態様５］
前記吸収性物品は、前記裏面シートの肌対向面側であって、前記厚さ方向において、前記伸長構造領域と重複する位置に、伸縮性シートをさらに有する、態様１〜４のいずれか一項に記載の吸収性物品。
【００２１】
本態様に係る吸収性物品は、前記厚さ方向において、前記伸長構造領域と重複する位置に、伸縮性シートをさらに有することにより、着用者が当該吸収性物品を個包装から取り出し、展開してショーツに配置する前に、当該吸収性物品の個包装の折線を伸ばすために当該吸収性物品を前記長手方向に伸長させても、前記伸縮性シートの伸縮性により、当該吸収性物品の形状が伸長前の状態に戻り易いので、着用者が当該吸収性物品をショーツに取り付けて仮固定するときに、精度よく位置決めし易い。
【００２２】
［態様６］
前記吸収性物品は、平面視にて、排泄口対応領域と、前記排泄口対応領域の後方側に位置する後方領域と、を有し、
前記伸長構造領域は、少なくとも前記後方領域に存在する、態様１〜５のいずれか一項に記載の吸収性物品。
【００２３】
本態様に係る吸収性物品において、前記伸長構造領域が、少なくとも前記後方領域に存在することにより、着用者がショーツを臀部に引き上げるとき、吸収性物品の伸長性が最も要求される着用者の臀部付近に相当する部分がショーツから剥離せずにショーツの伸長に追従し易いので、当該吸収性物品は、ショーツから剥離せずにショーツの伸長に追従し易いので、着用者が、ショーツを臀部に引き上げた後に、吸収性物品の位置を修正する必要性が少ない。
【００２４】
［態様７］
前記吸収性物品は、平面視にて、前記伸長領域よりも低い伸長率を有する又は非伸長である低伸長領域をさらに有し、
前記低伸長領域は、前記長手方向における前方の端縁を含む領域と、後方の端縁を含む領域とに少なくとも存在する、態様１〜６のいずれか一項に記載の吸収性物品。
【００２５】
本態様に係る吸収性物品において、前記低伸長領域が、少なくとも前記吸収性物品の長手方向における前方の端縁を含む領域と、後方の端縁を含む領域とに存在することにより、着用者が手で掴み易い長手方向の両端部近傍において、吸収性物品が伸長し難くなっており、着用者が当該吸収性物品をショーツに取り付けて仮固定するときに、精度よく位置決めし易い。
【００２６】
以下、本発明の吸収性物品の好適な実施形態について、図面を参照しながら詳細に説明する。なお、本明細書においては、特に断りのない限り、「展開した状態で水平面上に置いた対象物（例えば、吸収性物品、吸収本体部、吸収体等）を、それらの厚さ方向の上方又は下方側から対象物を見ること」を「平面視」という。特に、対象物が吸収性物品の場合は、吸収性物品を展開した状態で表面シート側から厚さ方向に見ることを、単に「平面視」ということがあり、そして対象物が裏面シートである場合には、吸収性物品を展開した状態で裏面シートの非肌対向面側から厚さ方向に見ることを、単に「平面視」ということがある。
【００２７】
本明細書において用いる各種方向等については、特に断りのない限り、以下のとおりである。
本明細書において、「長手方向」は「平面視における縦長の対象物の長さの長い方向」を指し、「幅方向」は「平面視における縦長の対象物の長さの短い方向（短手方向）」を指し、「厚さ方向」は「展開した状態で水平面上に置いた対象物に対して垂直方向」を指す。これらの長手方向、幅方向及び厚さ方向は、それぞれ互いに直交する関係にある。
【００２８】
また、本明細書では、「吸収性物品の長手方向において、着用者が吸収性物品を着用した際に着用者の腹部に対して相対的に近位側となる一方側」を「吸収性物品の前方側」といい、「吸収性物品の長手方向において、着用者が吸収性物品を着用した際に着用者の腹部に対して相対的に遠位側（すなわち、着用者の背部に対して相対的に近位側）となる他方側」を「吸収性物品の後方側」という。なお、本明細書において、吸収性物品の前方領域及び後方領域は、それぞれ吸収性物品の前方側の領域及び後方側の領域を指す。
【００２９】
さらに、本明細書では、「縦長の対象物（例えば、吸収性物品、吸収本体部、吸収体等）の幅方向において、長手方向に延びる幅方向中央軸線ＣＬに対して相対的に近位側」を「幅方向の内方側」といい、「前記縦長の対象物の幅方向において、前記幅方向中央軸線ＣＬに対して相対的に遠位側」を「幅方向の外方側」という。
【００３０】
さらに、本明細書では、特に断りのない限り、吸収性物品の厚さ方向において、「吸収性物品の着用時に、着用者の肌対向面に対して相対的に近位側」を「肌対向面側」といい、「吸収性物品の着用時に、着用者の肌対向面に対して相対的に遠位側」を「非肌対向面側」という。なお、本明細書においては、吸収性物品を構成する各種部材（例えば、表面シート、吸収体、裏面シート、伸縮性シート等）の「肌対向面側の表面」及び「非肌対向面側の表面」を、それぞれ単に「肌対向面」及び「非肌対向面」という。
【００３１】
さらに、本明細書では、着用者が吸収性物品を着用するに当たり、両脚の大腿部で保持したショーツに吸収性物品を置いた際に、吸収性物品がショーツに固定されている度合を「仮固定性」といい、着用者が、ショーツを着用者の臀部に引き上げた際に、吸収性物品がショーツに固定されている度合を「本固定性」という。
【００３２】
［吸収性物品の基本構成］
図１は、本発明の一実施形態に係る生理用ナプキン１（吸収性物品）を展開した状態で表面シート側から厚さ方向に見た平面図であり、図２は、生理用ナプキン１を展開した状態で裏面シート側から厚さ方向に見た平面図である。また、図３は、生理用ナプキン１における、長手方向に延びる幅方向中央軸線ＣＬに沿った長手方向断面の端面図である。なお、図１〜図３において、図面の上方側が吸収性物品の前方側に相当し、図面の下方側が吸収性物品の後方側に相当する。
【００３３】
本実施形態に係る生理用ナプキン１は、図１及び図２に示すように、平面視にて、長手方向Ｌ及び幅方向Ｗを有する縦長の外形形状を有しており、具体的には、長手方向及び幅方向を有する縦長の吸収本体部２と、該吸収本体部２の長手方向における中央部分の前方側寄りの位置において幅方向の外方側へ延出する一対の略台形状のフラップ部３、３’とによって構成されている。
【００３４】
吸収本体部２は、図１〜図３に示すように、厚さ方向Ｔにおいて、肌対向面側に位置する液透過性の表面シート２１と、非肌対向面側に位置する液不透過性の裏面シート２３と、これら各シートの間に位置するとともに幅方向Ｗに延びる複数のスリット部Ｓを有する吸収体２２と、生理用ナプキン１の後方領域Ａ３において吸収体２２と裏面シート２３との間に位置し且つ少なくとも前記長手方向Ｌに伸縮性を有する伸縮性シート２４と、裏面シート２３の非肌対向面に配置された、幅方向Ｗに連続的又は断続的に延びる複数の粘着部９と、を備えており、着用者から排出された経血や尿等の液状排泄物を、厚さ方向Ｔに浸透させながら吸収体２２にて吸収及び保持することができるように構成されている。
一方、一対のフラップ部３、３’は、図１及び図２に示すように、厚さ方向Ｔにおいて、吸収本体部２から幅方向Ｗの外方側に延出された表面シート２１と、吸収本体部２から幅方向Ｗの外方側に延出された裏面シート２３と、裏面シート２３の非肌対向面に配置された長手方向Ｌに延びる着衣（下着）固定用の粘着部４、４’と、を備えている。
【００３５】
なお、生理用ナプキン１は、着用する際に、吸収本体部２の非肌対向面を、粘着部９を介して着用者の下着の肌対向面に貼り付けた後、一対のフラップ部３、３’を、それぞれ下着の非肌対向面側に折り返しつつ粘着部４、４’を介して下着の非肌対向面に貼り付けることにより、下着に固定されるものである。したがって、一対のフラップ部３、３’の非肌対向面は、生理用ナプキン１の着用時には、着用者の肌対向面に対向する面となる。
ここで、生理用ナプキン１を着用者の下着に固定するための、吸収本体部２における粘着部９及び各フラップ部３、３’における粘着部４、４’に用いられる粘着剤は、それぞれ生理用ナプキン１を着用者の下着に固定し得るものであれば特に制限されず、例えば、スチレン系ポリマー等の任意の粘着剤を用いることができる。なお、上述の一対のフラップ部は、本発明においては必須の構成要素ではないため、本発明の吸収性物品は、当該一対のフラップ部を有していなくてもよい。
【００３６】
本実施形態に係る生理用ナプキン１において、吸収本体部２は、図１に示すように、平面視にて、生理用ナプキン１の前方側に位置する長手方向Ｌの前方端縁部５と、生理用ナプキン１の後方側に位置する長手方向Ｌの後方端縁部６と、を備え、さらに、これらの端縁部５、６の間には、長手方向Ｌに沿って、生理用ナプキン１の前方側に位置する前方領域Ａ１と、生理用ナプキン１の後方側に位置する後方領域Ａ３と、これらの領域Ａ１、Ａ３の間に位置する排泄口対応領域Ａ２と、を有している。
なお、図１において上述の各領域Ａ１〜Ａ３は、幅方向Ｗに延びる２本の仮想直線、すなわち、一対のフラップ部３、３’の各粘着部４、４’の長手方向Ｌにおける両端部７、８、７’、８’のうち長手方向Ｌの前方側に位置する一対の第１端部７、７’を含むようにして幅方向Ｗに延びる第１仮想直線Ｌ１と、各粘着部４、４’の長手方向Ｌにおける両端部７、８、７’、８’のうち長手方向Ｌの後方側に位置する一対の第２端部８、８’を含むようにして幅方向Ｗに延びる第２仮想直線Ｌ２と、によって各々区分されている。
【００３７】
ここで、本明細書において、「排泄口対応領域」とは、吸収性物品の着用時に、着用者の排泄口に対向する或いは当接する領域を指し、吸収性物品の種類や用途（具体的には、尿や便、経血などの液状排泄物の種類、対象とする着用者の年齢や性別等）に応じて、吸収性物品の種類毎に適宜設定される領域である。なお、排泄口対応領域は、通常、吸収性物品の長手方向の略中央部或いは前方側寄りの位置（例えば、吸収性物品が吸収本体部及びフラップ部を有する場合は、平面視にて、吸収本体部における、フラップ部と長手方向において重複する前方側寄りの位置であり、吸収性物品が長手方向の略中央部において幅方向の内方側に括れた括れ部を有する吸収本体部からなる場合は、平面視にて、吸収本体部における前記括れ部に対応する位置であり、また、吸収性物品が長円状の吸収本体部から構成される場合は、吸収本体部の幅方向に延びる長手方向中央軸線を跨ぐ略中央部の位置である。）において、吸収性物品の長手方向全長の約１／３以上の長手方向長さと、吸収性物品の幅方向全長の約１／３以上の幅方向長さを有するように設定されるが、例えば、吸収性物品が夜用ナプキン等の場合は、排泄口対応領域の長手方向長さが、吸収性物品の長手方向全長の１／３未満となるように設定されることもある。
【００３８】
そして、本実施形態に係る生理用ナプキン１は、図１及び図３に示すように、上述の後方領域Ａ３において表面シート２１と裏面シート２３との間に位置する、少なくとも長手方向Ｌに伸縮性を有する伸縮性シート２４を備えており、吸収体２２は、上述の排泄口対応領域Ａ２において、長手方向Ｌに延びる幅方向中央軸線ＣＬを跨って延在する非伸縮領域ＮＥＬ２を含むとともに、後方領域Ａ３において、長手方向Ｌ及び幅方向Ｗに延在し且つ伸縮性シート２４と厚さ方向Ｔに重なる伸縮領域ＥＬＡと、該伸縮領域ＥＬＡの後方に隣接し且つ吸収体２２の幅方向全域に延在する後方非伸縮領域ＮＥＬ３と、を含むように構成されている。
【００３９】
以下、本発明の吸収性物品を構成する各種部材について、上述の実施形態に係る生理用ナプキン１を用いて更に詳細に説明する。
【００４０】
［表面シート］
本実施形態に係る生理用ナプキン１において表面シート２１は、図１及び図３に示すように、生理用ナプキン１の前方領域Ａ１から後方領域Ａ３に亘る領域（具体的には、長手方向Ｌの前方端縁部５から後方端縁部６に亘る領域）において厚さ方向Ｔの肌対向面側に配置され、着用者の肌対向面に直に接触し得る液透過性シート部材によって構成されている。かかる液透過性シート部材は、吸収性物品の表面シートとして用い得る諸特性（例えば、液透過性や柔軟性、肌触り等）を有するものであれば特に制限されず、例えば、セルロース系繊維や親水化処理を施した熱可塑性樹脂繊維等の親水性繊維を用いて形成された、スパンレース不織布やエアスルー不織布等の不織布などを用いることができる。中でも、本発明の吸収性物品に用いる表面シートは、少なくとも一方向（吸収性物品の長手方向Ｌに対応する方向）に伸縮性又は伸長性を有する液透過性シート部材を用いることが好ましい。表面シートとしてこのような液透過性シート部材を用いると、吸収性物品が着用者の動きに合わせてより一層変形し易くなる（すなわち、動的フィット性に優れるようになる）ため、吸収性物品の着用感を更に向上させることができる。
【００４１】
ここで、本明細書において、「伸長」とは、ＪＩＳ  Ｌ  １９１３：２０１０の「６．３引張強さ及び伸び率」に記載の方法に従って対象物を相反する所定の２方向に５．０Ｎの力で引っ張ったときに、破断することなく、自然状態（すなわち、伸びる前の状態）の長さ（１００％）に対して３％以上伸びること（すなわち、伸長後の長さが１０３％以上となるように伸びること）を意味し、「伸縮」とは、対象物を相反する所定の２方向に所定の力で引っ張って１０％以上伸長（すなわち、伸長後の長さが１１０％以上となるように伸長）させた後、前記力を解除したときに７％以上収縮すること（すなわち、収縮後の長さが、自然状態（伸長させる前の状態）の対象物の長さ（１００％）に対して１００％以上１０３％以下となること）を意味する。
【００４２】
上述の伸縮性を有する液透過性シート部材としては、少なくとも一方向に伸縮性を有するものであれば特に制限されず、例えば、親水化処理が施されたウレタン樹脂製スパンボンド不織布等の伸縮性不織布；少なくとも一方向に延伸されたウレタン樹脂製スパンボンド不織布とエアースルー不織布とがエンボス加工等によって一体化された、凹凸構造を有する積層不織布；ウレタン樹脂やエチレン−酢酸ビニル共重合体樹脂（ＥＶＡ）等の弾性樹脂からなる、親水化処理が施された有孔フィルムなどを好適に用いることができる。また、上述の伸長性を有する液透過性シート部材としては、少なくとも一方向に伸長性を有するものであれば特に制限されず、例えば、一方向に伸長可能な凹凸構造を有する不織布などを好適に用いることができる。
【００４３】
また、表面シートとして用い得る伸縮性又は伸長性を有する液透過性シート部材は、その全領域（平面視における全面）において上述の伸縮性又は伸長性を有していてもよいが、本発明においては、後方領域内における吸収体の伸縮領域と厚さ方向に重なる領域を少なくとも含む領域が上述の伸縮性又は伸長性を有していることが好ましく、更には、後方領域内における吸収体の伸縮領域と厚さ方向に重なる領域のみが上述の伸縮性又は伸長性を有していることがより好ましい。表面シートがこのような特定の領域のみに伸縮性又は伸長性を有していると、吸収性物品が、かかる特定の領域（特に、吸収体の伸縮領域と厚さ方向に重なる領域）においては、着用者の動きに合わせてより一層変形し易くなるため、当該領域が着用者の肌対向面に密着した状態をより確実に実現することができる一方、吸収性物品の排泄口対応領域においては、吸収性物品の後方領域に掛かる上述の捩じれる方向の力が伝播され難く、当該排泄口対応領域における吸収本体部の形状が更に維持され易くなるため、着用者から排出された液状排泄物をより安定的に吸収することができる。
【００４４】
表面シートの寸法形状は、吸収体の肌対向面を被覆することができるものであれば特に制限されず、吸収性物品の着用対象者の大きさや性別、用途などに応じた任意の寸法形状を採用することができる。また、表面シートの坪量は、本発明の効果を阻害しない限り特に制限されず、例えば、５ｇ／ｍ2〜１００ｇ／ｍ2の範囲内の坪量を採用することができるが、液透過性や柔軟性などの点から２０ｇ／ｍ2〜５０ｇ／ｍ2の範囲内の坪量が好ましい。なお、坪量は、ＪＩＳ  Ｌ  １９０６の５．２に従って測定することができる。
【００４５】
さらに、表面シートの厚みについても、本発明の効果を阻害しない限り特に制限されず、例えば、０．００１ｍｍ〜５．０ｍｍの範囲内の厚みを採用することができるが、液透過性や柔軟性などの点から０．０１ｍｍ〜３．０ｍｍの範囲内の厚みが好ましく、さらに、０．１ｍｍ〜１．０ｍｍの範囲内の厚みがより好ましい。
【００４６】
なお、表面シート等のシート部材の厚みは、以下の測定法により得ることができる。
＜シート部材の厚み測定法＞
（１）測定対象のシート部材から、所定サイズ（例えば、３０ｍｍ×３０ｍｍ）のサンプルシートを切り出す。
（２）切り出したサンプルシートを、カトーテック（株）の自動化圧縮試験機「ＫＥＳ ＦＢ−３Ａ」にセットして、当該試験機の測定端子によるサンプルシートへの圧力が４９Ｐａのときの厚み（ｍｍ）を測定し、この厚み（ｍｍ）をサンプルシートの厚みとする。
【００４７】
［裏面シート］
本実施形態に係る生理用ナプキン１において裏面シート２３は、図１〜図３に示すように、生理用ナプキン１の前方領域Ａ１から後方領域Ａ３に亘る領域（具体的には、長手方向Ｌの前方端縁部５から後方端縁部６に亘る領域）において厚さ方向Ｔの非肌対向面側に配置され、着用者から排出された経血や尿等の液状排泄物の漏洩を防ぐ液不透過性シート部材によって構成されている。かかる液不透過性シート部材は、吸収性物品の裏面シートとして用い得る諸特性（液不透過性や通気性、柔軟性等）を有し、且つ後述するように特定の賦形を施すことのできるものであり、例えば、通気性を有するポリエチレンやポリプロピレン等の樹脂フィルム、熱可塑性樹脂製シート等、公知の液不透過性シート部材を用いることができる。そのような液不透過性シート部材の中でも、本発明の吸収性物品に用いる裏面シートは、少なくとも一方向（吸収性物品の長手方向Ｌに対応する方向）に伸長性を有する液不透過性シート部材を用いることが好ましい。裏面シートとしてこのような伸長性を有する液不透過性シート部材を用いると、着用者が吸収性物品をショーツに配置して当該ショーツを臀部に引き上げたとき、ショーツの伸びに追従して吸収性物品も伸びやすくなり、吸収性物品の着用感を向上させることができる。
【００４８】
本実施形態においては、裏面シート２３は、液不透過性シート部材によって構成されており、図２及び図３に示すように、上述の後方領域Ａ３において長手方向Ｌに伸長可能な伸長構造領域Ｂを有する一方、上述の前方領域Ａ１及び排泄口対応領域Ａ２には、前記伸長構造領域Ｂを有さない。裏面シート２３は、伸長構造領域Ｂにおいて、非肌対向面側に突出し、幅方向Ｗと平行に延在し、長手方向Ｌに並設されている複数本の突状部Ｂ１を有する。また、複数の突状部Ｂ１のそれぞれは、非肌対向面がフラットな底部Ｂ２と、長手方向Ｌにおいて、底部Ｂ２の長手方向Ｌの両端に隣接して存在する壁部Ｂ３とにより構成されている。なお、本実施形態において、幅方向Ｗに延び、突状部Ｂ１において、厚さ方向における深さが最も浅い部分を基部Ｂ４と称することもある。
【００４９】
なお、本明細書において、底部とは、裏面シートの伸長構造領域の突状部において、長手方向に所定の間隔を空けて幅方向に延在する２本の折曲線と、長手方向に延びる幅方向両端とで囲まれる領域をいう。ここで、前記折曲線は、ギア延伸処理等の物理的処理により形成されるものである。
また、図３に示すように、それぞれの壁部Ｂ３は、基部Ｂ４から凸状に傾斜して底部Ｂ２の長手方向Ｌの端部に連結されている。すなわち、底部は、突状部において、基部のどの部分よりも厚さ方向における深さが深いことが好ましい。突状部が、かかる形状を有することにより、着用者が吸収性物品をショーツに配置する際、底部の非肌対向面がショーツとの接触面積を確保し易い。
【００５０】
より具体的には、底部Ｂ２は、平面視にて生理用ナプキン１の幅方向Ｗに長辺を、長手方向Ｌに短辺を其々有する略矩形の形状を有している。
本明細書において、底部に関する「フラット」とは、完全なるフラットのみならず、実質的なフラットをも含む。実質的なフラットとは、裏面シートの伸長構造領域の、吸収性物品の長手方向の断面において、複数の突状部のそれぞれの底部が、以下の要件：当該底部の長手方向の両端を結ぶ仮想線の長さに対する、上記仮想線からの上記底部の構成線の距離のうち最大のものの比が、好ましくは０超且つ０．０５未満、より好ましくは０超且つ０．０３未満、そしてさらに好ましくは０超且つ０．０１未満であることを満たすことを意味する。なお、前記吸収性物品の長手方向の断面において、複数の突状部のそれぞれの底部が、上記要件を満たすとは、吸収性物品の長手方向の異なる５か所の断面のそれぞれにおいて、上記要件を満たすことをいう。
【００５１】
また、複数の突状部のそれぞれの底部の長手方向の両端を結ぶ長さは、好ましくは０．３ｍｍ以上１０ｍｍ以下、より好ましくは０．５ｍｍ以上８ｍｍ以下である。底部がかかる形状を有することにより、着用者が吸収性物品をショーツに配置する際、底部の非肌対向面がショーツとの接触面積を確保し易い。また、本発明における底部は、着用者が吸収性物品をショーツに配置する際に、底部の非肌対向面がショーツとの接触面積を確保し易い限り、その形状は略矩形に制限されず、平面視にて台形の他、幅方向Ｗに延びる任意の曲線又は波線で区画される形状などの任意の形状を採用することができる。
【００５２】
また、フラットな底部は、吸収性物品の平面方向（長手方向及び幅方向と平行な方向）と略平行であることが好ましい。より具体的には、任意のフラットな底部を含む面と、当該吸収性物品の平面方向に延在する面とがなす角度が、好ましくは０〜１５度、より好ましくは０〜１０度、さらに好ましくは０〜５度の範囲にある。フラットな底部がかかる構成を有することにより、着用者が吸収性物品をショーツに配置する際、底部の非肌対向面がショーツとの接触面積を確保し易い。
【００５３】
一方、壁部Ｂ３は、長手方向Ｌに沿った断面視にて、底部Ｂ２の長手方向Ｌの両端部から、厚さ方向Ｔにおける深さを減じながら延在し、突状部Ｂ１の壁部分を形成する。また、本発明において壁部の形状は制限されず、基部から凹状に傾斜して底部の長手方向の端部に連結されている形状や、１又は２以上の曲面とフラットな平面とで形成されていてもよい。
【００５４】
本実施形態において、上述の突状部Ｂ１は、図３に示すように、裏面シート２３の厚さ方向において肌対向面側に突出した構造を有し、上述の基部Ｂ４は、裏面シート２３の厚さ方向において非肌対向面側に窪んだ構造を有している。
【００５５】
本実施形態において、伸長構造領域Ｂは、上述の後方領域Ａ３に存在していたが、本発明に係る吸収性物品においては、伸長構造領域の配置態様はこれに制限されず、伸長構造領域が上述の前方領域、排泄口対応領域、またはこの両方の領域に存在していてもよい。しかし、伸長構造領域が、少なくとも後方領域に存在することが好ましい。かかる構成により、着用者がショーツを臀部に引き上げてショーツを着用した際、吸収性物品の伸長性が最も要求される着用者の臀部付近に相当する部分がショーツに追従し易いので、吸収性物品の着用感を更に向上させることができる。さらに、伸長構造領域が、少なくとも後方領域に存在することにより、後述する粘着部の存在と相俟って、吸収性物品の伸長性が最も要求される着用者の臀部付近に相当する部分がショーツから剥離せずにショーツの伸びに追従し易いので、吸収性物品の位置を修正する必要性が少なくなる。
また、裏面シートがこのような伸長構造領域を有していると、吸収性物品の厚さ方向において柔軟性やクッション性等を付与することができるため、当該吸収性物品の着用感を更に向上させることができる。また、着用者に視認され易い裏面シートがこのような伸長構造領域を有していると、本発明の吸収性物品が伸長性やフィット性、柔軟性等に特に優れた製品であることを着用者に認識させ易いという利点もある。
【００５６】
なお、上述の伸長構造領域において、突状部の深さ（すなわち、突状部の底部の非肌対向面を含む水平面と基部の肌対向面を含む水平面との間の距離）は、本発明の効果を阻害しない限り特に制限されず、例えば、０．１ｍｍ〜１．２ｍｍの範囲内の深さを採用することができる。伸長性やクッション性、液の拡散性等の点から、突状部の深さは、０．２ｍｍ〜１．０ｍｍの範囲が好ましく、０．４ｍｍ〜０．８ｍｍの範囲がより好ましい。
【００５７】
さらに、上述の複数の突状部のピッチ（すなわち、隣り合う２本の突状部の底部における、幅方向に延びる長手方向中心線同士の間隔（ｍｍ））についても、特に制限されず、例えば、０．５ｍｍ〜５．０ｍｍの範囲内のピッチを採用することができるが、伸長性やクッション性、液の拡散性等の点から１．０ｍｍ〜４．０ｍｍの範囲内のピッチが好ましく、２．０〜３．０ｍｍの範囲内のピッチが更に好ましい。なお、この複数の突状部のピッチは、無加圧状態（すなわち、伸長構造領域が伸長していない状態）における裏面シートの平面写真に基づいて、隣り合う２本の突状部の底部における、幅方向に延びる長手方向中心線同士の間隔（ｍｍ）として測定することができる。
【００５８】
また、上述の伸長構造領域における裏面シートの非肌対向面の表面積に対する、底部の非肌対向面の合計面積率は、好ましくは２０〜４０％、より好ましくは２５〜３５％である。なお、この伸長構造領域における裏面シートの非肌対向面の表面積及び底部の非肌対向面の合計面積は、無加圧状態における裏面シートの断面写真に基づいて、裏面シートの非肌対向面における伸長構造領域の輪郭線の長さと各底部の長さの合計とを取得し、これらに、平面視における当該伸長構造領域の幅の長さをそれぞれ乗じて、伸長構造領域の非肌対向面の表面積ＡＥ及び底部の非肌対向面の合計面積ＡＢとして得ることができる。さらに、伸長構造領域における裏面シートの非肌対向面の表面積に対する、底部の非肌対向面の合計面積率は、前記ＡＢを前記ＡＥで除して得た百分率として算出することができる。
また、長手方向における突状部のピッチは、好ましくは各々の突状部の深さの２．０倍〜５．０倍、より好ましくは３．０〜４．５倍、さらにより好ましくは３．８〜４．２倍である。伸長構造領域が、所定の底部の合計面積率と、所定の突状部のピッチを有することにより、伸長構造領域による前記吸収性物品の伸長性を確保し易いと共に、着用者が当該吸収性物品をショーツに配置した際、伸長構造領域における壁部とショーツとの距離がより短くなり、着用者がショーツを臀部に引き上げたとき、ショーツとの接触面積をより確保し易いので、伸長構造領域における後述の粘着部の存在と相俟って、着用者がショーツを臀部に引き上げてショーツを着用した際、吸収性物品がショーツからより一層剥離せずにショーツの伸びに追従し易いので、着用者が、吸収性物品の着用に当たり、ショーツの引き上げ後、吸収性物品の位置を修正する必要が少なくなる。
【００５９】
本発明において、裏面シートの寸法形状は、着用者から排出された液状排泄物の漏洩を防止し得るものであれば特に制限されず、吸収性物品の着用対象者の大きさや性別、用途などに応じた任意の寸法形状を採用することができる。また、裏面シートの厚みについても、本発明の効果を阻害しない限り特に制限されず、例えば、０．００１ｍｍ〜５．０ｍｍの範囲内の厚みを採用することができるが、液不透過性や柔軟性、通気性などの点から０．００３ｍｍ〜３．０ｍｍの範囲内の厚みが好ましく、更には、０．０１ｍｍ〜１．０ｍｍの範囲内の厚みがより好ましい。
【００６０】
なお、本実施形態に係る生理用ナプキン１において、表面シート２１と裏面シート２３は、後述する吸収体２２と該吸収体２２に接合された伸縮性シート２４との積層体を間に挟んだ状態で、各シートの外周端縁部がホットメルト型接着剤によって接合されている。かかる接合の手段は特に制限されず、上述の接着剤のほかに、例えば、ヒートシール法、超音波接合法等の任意の接合手段を採用することができるが、上述の伸縮性や伸長性を阻害し難いという点からスチレン−イソプレン−スチレンブロック共重合体（ＳＩＳ）、スチレン−ブタジエン−スチレンブロック共重合体（ＳＢＳ）、スチレン−エチレン−ブチレン−エチレン共重合体（ＳＥＢＳ）等のホットメルト型接着剤を用いることが好ましい。
【００６１】
［粘着部］
本実施形態に係る生理用ナプキン１において、裏面シート２３の非肌対向面に配置された、幅方向Ｗに連続的又は断続的に延びる複数の粘着部９は、図２に示すように、長手方向Ｌに所定間隔を空けて複数本並ぶように（換言すれば、幅方向Ｗに延びる粘着部９と幅方向Ｗに延びる非粘着部１０とが長手方向Ｌに沿って交互に並ぶように）ストライプ状に配置されており、長手方向Ｌに隣接する粘着部９同士の間に存在する非粘着部１０とともに着衣（下着）固定用の粘着部配置領域１１を構成するものである。かかる粘着部配置領域１１は、着用者が生理用ナプキン１を着用する際に、吸収本体部２の非肌対向面を着用者の着衣（下着）の肌対向面に固定するものである。なお、上述の粘着部の配置形態は、本発明の効果を阻害しない限り特に制限されず、粘着部は、上述のストライプ状のほか、スパイラル状や間欠状、ドット状等の任意の形態で配置することができる。
【００６２】
さらに、本発明において、粘着部は、裏面シートの伸長構造領域における少なくとも２つの底部と、前記少なくとも２つの底部の間に存在する壁部とに配置されている。かかる構成を有することにより、本発明に係る吸収性物品は、後述のメカニズムにより仮固定性及び本固定性に優れ、着用者が、吸収性物品の着用に当たり、ショーツの引き上げ後、吸収性物品の位置を修正する必要が少ない。
また、本発明において、上述の底部及び壁部における粘着部の配置形態は、裏面シートの伸長構造領域における少なくとも２つの底部の全面と、前記少なくとも２つの底部の間に存在する壁部の全面とに配置され、本発明の効果を阻害しない限り特に制限されず、粘着部は、底部及び壁部のいずれにおいても、略全面に配置されていてもよいし、ストライプ状、スパイラル状や間欠状、ドット状等の任意の形態で一部の面に配置されるものがあってもよい。
【００６３】
ここで、本発明に係る吸収性物品がショーツに接合するメカニズムを説明する。図４は、本発明の一実施形態に係る生理用ナプキン１における、裏面シート２３の伸長構造領域とショーツとが接合する様子を模式的に示す図である。具体的には、図４（ａ）は、裏面シート２３の底部Ｂ2が粘着部９を介してショーツに仮固定されている状態を示しており、図４（ｂ）は、ショーツが伸長し始めた状態を示しており、そして図４（ｃ）は、ショーツが更に伸長した着用状態を示している。
【００６４】
本実施形態において、図４（ａ）に示すように、着用者が生理用ナプキン１を着用するに当たり、両脚の大腿部で保持したショーツＵに生理用ナプキン１を置いた際に、生理用ナプキン１が、フラットな底部Ｂ２に配置された粘着部９によりショーツＵに十分に固定され、生理用ナプキン１が、ショーツへの優れた仮固定性を有する。また、図４（ｂ）に示すように、次いで、着用者が、ショーツＵを着用者の臀部に引き上げた際には、ショーツＵは少なくとも前後方向に伸びるのが一般的であるが、上記生理用ナプキン１は、生理用ナプキン１が仮固定性に優れるため、ショーツＵの伸びに追従して伸びることができる。さらに図４（ｃ）に示すように、生理用ナプキン１がショーツＵの伸びに追従して伸びると、上記壁部Ｂ３とショーツＵとの距離が近づき、最終的には、生理用ナプキン１が、上記壁部Ｂ３に配置された粘着部９によりショーツに十分に固定され、生理用ナプキン１がショーツＵへの優れた本固定性を有する。かかるメカニズムにより、生理用ナプキン１は、仮固定性及び本固定性に優れ、着用者が、吸収性物品の着用に当たり、ショーツの引き上げ後、生理用ナプキン１の位置を修正する必要性が少ない。なお、本実施形態では、粘着部９が長手方向Ｌに所定間隔を空けて複数本並ぶように配置されているが、上記吸収性物品は、仮固定性に優れ、ショーツの伸びに追従して伸びることができるので、粘着部がいかなる配置形態で配置されていても、裏面シートの任意の部位が隆起したままショーツに接合してしまう虞も少ない。
【００６５】
また、本発明において、底部に配置されている粘着部の粘着面と、壁部に配置されている粘着部の粘着面とは、好ましくは５〜３０％及び７０〜９５％の面積比を有し、より好ましくは８〜２５％及び７５〜９２％の面積比を有する。上記吸収性物品において、粘着部が、所定の面積比で、底部と、壁部とに存在すると、上記吸収性物品が、仮固定性と、本固定性とに優れ、着用者が、吸収性物品の着用に当たり、ショーツの引き上げ後、吸収性物品の位置を修正する必要性が少ない。なお、この底部に配置されている粘着部の粘着面の面積と、壁部に配置されている粘着部の粘着面の面積とは、測定圧３ｇ／ｃｍ２の加圧状態における裏面シートの平面写真に基づいて、底部に配置されている粘着部の粘着面の合計面積と、壁部に配置されている粘着部の粘着面の合計面積としてそれぞれ測定することができ、これらの比として算出することができる。
【００６６】
［伸縮性シート］
本実施形態に係る生理用ナプキン１において、少なくとも長手方向Ｌに伸縮可能な伸縮性シート２４は、図１及び図３に示すように、着用時に着用者の臀部に対応する領域となる後方領域Ａ３であって、厚さ方向Ｔにおいて、少なくとも伸長構造領域Ｂと重複する位置に、吸収体２２と裏面シート２３との間（すなわち、裏面シート２３の肌対向面側）に配置されて、生理用ナプキン１の後方領域Ａ３（より具体的には、後方領域Ａ３内における、吸収体２２の伸縮領域ＥＬＡに対応する領域）に伸縮性を付与する伸縮性シート部材である。なお、伸縮性シート２４は、液不透過性であることが好ましく、上述のとおり、吸収体２２の後方領域Ａ３における伸縮領域ＥＬＡと厚さ方向Ｔに重なる位置に配置され、当該伸縮領域ＥＬＡと厚さ方向Ｔに重ならない部分には配置されていない。液不透過性の伸縮性シート２４がこのように配置されていると、着用者が当該生理用ナプキン１を個包装から取り出し、展開してショーツＵに配置する前に、当該生理用ナプキン１の個包装の折線を伸ばすために当該生理用ナプキン１を前記長手方向Ｌに伸長させても、前記伸縮性シート２４の伸縮性により、当該生理用ナプキン１の形状が伸長前の状態に戻り易いので、着用者が当該生理用ナプキン１をショーツＵに取り付けて仮固定するときに、精度よく位置決めし易い。
【００６７】
上述の伸縮性シートは、少なくとも一方向（吸収性物品の長手方向Ｌに対応する方向）に伸縮可能な伸縮性シート部材であれば特に制限されず、例えば、ウレタン樹脂やポリオレフィン樹脂等の熱可塑性樹脂から形成された伸縮性フィルム；ポリエステル系樹脂から形成された弾性フィルムなどを用いることができる。
【００６８】
また、吸収性物品において、上述の伸縮性シートが配置される厚さ方向の位置も、表面シートと裏面シートの間であれば特に制限されず、上述の実施形態のように吸収体と裏面シートの間に配置されていても、表面シートと吸収体との間に配置されていてもよいが、吸収性物品の後方領域においても所定の吸収性能が得られるという点から、伸縮性シートは、上述の実施形態のように吸収体と裏面シートの間に配置されていることが好ましい。
【００６９】
なお、本発明においては、上述の伸縮性シートは、吸収体の伸縮領域が伸縮可能に構成されていれば、必須の構成要素ではないため、本発明の吸収性物品は、当該伸縮性シートを備えていなくてもよい。
【００７０】
［吸収体］
次に、本発明の吸収性物品に用い得る吸収体について説明する。図６は、生理用ナプキン１に用いられる吸収体２２の伸長していない状態（自然状態）の平面図であり、図７は、吸収体２２の伸長状態の平面図である。なお、図７は、生理用ナプキン１の伸長状態を模式的に示す、長手方向Ｌに延びる幅方向中央軸線ＣＬに沿った断面の端面図である。
【００７１】
本実施形態に係る生理用ナプキン１において吸収体２２は、図３に示すように、厚さ方向Ｔにおいて表面シート２１と裏面シート２３との間に配置されて、表面シート２１を透過してきた着用者の液状排泄物を吸収及び保持する機能を有する吸収性部材である。吸収体２２は、図４に示すように、平面視にて、長手方向Ｌにおける前方側及び後方側の各端縁がそれぞれ前方側及び後方側に円弧状に突出した縦長の外形形状を有し、図１に示すように、生理用ナプキン１の長手方向Ｌに延びる幅方向中央軸線ＣLを含む中央領域において、上述の前方領域Ａ１から後方領域Ａ３に亘って延在するように配置されている。
なお、本発明において、吸収体は上述の態様のものに制限されず、吸収体は、例えば、長方形、長円形、砂時計形等の任意の外形形状を有していてもよく、また、吸収性物品の長手方向の前方寄り或いは後方寄りに偏って配置されていてもよい。
【００７２】
そして、本実施形態において吸収体２２は、図１に示すように、平面視にて、上述の前方領域Ａ１及び排泄口対応領域Ａ２において、長手方向Ｌに延びる幅方向中央軸線ＣＬを跨って延在する前方非伸縮領域ＮＥＬ１及び非伸縮領域ＮＥＬ２を有するとともに、上述の後方領域Ａ３において、長手方向Ｌ及び幅方向Ｗに延在し且つ後述の伸縮性シート２４と厚さ方向Ｔに重なる伸縮領域ＥＬＡを有するように構成されている。
さらに、吸収体２２は、平面視にて、上述の後方領域Ａ３内の伸縮領域ＥＬＡの後方に隣接し且つ吸収体２２の幅方向全域に延在する後方非伸縮領域ＮＥＬ３を有している。吸収体２２がこのような後方非伸縮領域ＮＥＬ３を有していると、生理用ナプキン１の後方領域Ａ３において吸収体２２の強度を一定程度確保することができるため、着用者が生理用ナプキンをショーツに取り付けて仮固定する際に位置決めし易い。
【００７３】
ここで、吸収体２２における上述の各非伸縮領域（すなわち、前方領域Ａ１における前方非伸縮領域ＮＥＬ１、排泄口対応領域Ａ２における非伸縮領域ＮＥＬ１及び後方領域Ａ３における後方非伸縮領域ＮＥＬ３）及び伸縮領域ＥＬＡについて更に具体的に説明する。
【００７４】
本実施形態において、吸収体２２の各非伸縮領域ＮＥＬ１〜ＮＥＬ３は、後述する複数のスリット部等の伸縮手段が設けられておらず、実質的に伸縮性を有していない（すなわち、非伸縮性の）領域である。本実施形態において、かかる非伸縮領域は、上述のとおり、平面視にて、前方領域Ａ１及び排泄口対応領域Ａ２において、長手方向Ｌに延びる幅方向中央軸線ＣＬを跨って延在する前方非伸縮領域ＮＥＬ１及び非伸縮領域ＮＥＬ２として設けられており、さらに、後方領域Ａ３内の伸縮領域ＥＬＡの更に後方側において、吸収体２２の幅方向全域に（すなわち、図６における吸収体２２の幅方向Ｗにおける一方側の端縁ｅ１から他方側の端縁ｅ２まで）延在する後方非伸縮領域Ｎ３として設けられている。なお、上述の前方非伸縮領域Ｎ１及び非伸縮領域Ｎ２は、吸収体２２の幅方向中央部（すなわち、長手方向Ｌに延びる幅方向中央軸線ＣＬを跨ぐ部分）において連続するように設けられている。
本発明の吸収性物品において、吸収体の非伸縮領域は、少なくとも排泄口対応領域及び後方領域内における伸縮領域の後方に隣接する領域に設けられていればその配置形態は特に制限されず、非伸縮領域は、前方領域には設けられていなくてもよいが、当該非伸縮領域は、上述の実施形態のように、前方領域から排泄口対応領域に跨って設けられていることが好ましい。吸収体の非伸縮領域が前方領域から排泄口対応領域に跨って設けられていると、吸収体の形状が維持され易い領域を更に広く確保することができるため、着用者の動作や下着の伸び等による影響が比較的少ない上述の前方領域及び排泄口対応領域において、着用者から排出された液状排泄物を長時間に亘ってより安定的に、より確実に吸収することができる。
【００７５】
また、上述の実施形態に係る生理用ナプキン１において、吸収体２２の伸縮領域ＥＬＡは、図１、図３及び図４に示すように、伸縮性シート２４と厚さ方向Ｔに重なる後方領域Ａ３内において、幅方向Ｗに延びる複数のスリット部Ｓを伸縮手段として有しており、かかる複数のスリット部Ｓが着用者から掛かる（或いは、下着の伸縮を介して掛かる）外力（なお、この外力は、伸長方向の外力及び収縮方向の外力を含む。）や伸縮性シート２４から付与される収縮力によって開閉することで、上述の吸収体２２の伸縮領域ＥＬＡが少なくとも長手方向Ｌに伸縮できるようになっている。
【００７６】
ここで、本明細書において、「スリット部」は、吸収体を厚さ方向に貫通する切り目を意味し、該スリット部が延びる方向（すなわち、スリット部の長手方向）と、該方向と直交する方向（すなわち、スリット部の幅方向）を有する。
【００７７】
本発明の吸収性物品において、吸収体は、上述の伸縮領域及び非伸縮領域（後方非伸縮領域を含む。）を有していること以外は、特に制限されず、当分野において公知の任意の吸収体を用いることができる。そのような吸収体としては、例えば、パルプ等の吸水性繊維及び／又は高吸収性ポリマーを含む吸収性材料を、少なくとも１枚のティッシュ等の液透過性被覆シートによって覆ったものなどが挙げられる。
【００７８】
なお、吸収体の厚みは、本発明の効果を阻害しない限り特に制限されず、例えば、０．１ｍｍ〜１０ｍｍの範囲内の厚みを採用することができるが、伸縮性や吸収性、柔軟性などの点から０．３ｍｍ〜３ｍｍの範囲内の厚みが好ましい。
【００７９】
［吸収性物品の伸長領域と非伸長領域］
上述したように、本実施形態に係る生理用ナプキン１は、伸縮性の表面シート２１、吸収体２２、伸縮性シート２４と、伸長性の裏面シート２３とを有し、吸収体２２、伸縮性シート２４、裏面シート２３のそれぞれは、上述の前方領域Ａ１、排泄口対応領域Ａ２、及び後方領域Ａ３においてそれぞれ異なる伸縮性又は伸長性を有している。
上述のように、本実施形態において吸収体２２は、図１に示すように、平面視にて、上述の前方領域Ａ１及び排泄口対応領域Ａ２において、長手方向Ｌに延びる幅方向中央軸線ＣＬを跨って延在する前方非伸縮領域ＮＥＬ１及び非伸縮領域ＮＥＬ２を有するとともに、上述の後方領域Ａ３において、長手方向Ｌ及び幅方向Ｗに延在し且つ上述の伸縮性シート２４と厚さ方向Ｔに重なる伸縮領域ＥＬＡを有するように構成されている。さらに、吸収体２２は、平面視にて、上述の後方領域Ａ３内の伸縮領域ＥＬＡの後方に隣接し且つ吸収体２２の幅方向全域に延在する後方非伸縮領域ＮＥＬ３を有している。
また、上述のように、本実施形態において裏面シート２３は、上述の後方領域Ａ３において長手方向Ｌに伸長可能な伸長構造領域Ｂを有する一方、上述の前方領域Ａ１及び排泄口対応領域Ａ２には、前記伸長構造領域Ｂを有さない。
【００８０】
かかる各伸縮及び／又は伸長特性を有する構成部材を有する生理用ナプキン１は、物品全体としてみると、平面視にて、上述の生理用ナプキン１の前方側に位置する長手方向Ｌの前方端縁部５を含む領域を含む前方領域Ａ１及び排泄口対応領域Ａ２において長手方向Ｌに延びる前方低伸長領域ＮＥＸ１と、上述の後方領域Ａ３において、長手方向Ｌ及び幅方向Ｗに延在し且つ上述の伸縮性シート２４と厚さ方向Ｔに重なる伸長領域ＥＸと、上述の生理用ナプキン１の後方側に位置する長手方向Ｌの後方端縁部６を含む領域を含む後方領域Ａ３内の伸長領域ＥＸの後方に隣接し且つ生理用ナプキン１の幅方向全域に延在する後方低伸長領域ＮＥＸ２とを有する。つまり、本実施形態における生理用ナプキン１は、厚さ方向Ｔにおいて、吸収体２２の前方非伸縮領域ＮＥＬ１及び非伸縮領域ＮＥＬ２が存在する領域、伸縮領域ＥＬＡ、後方非伸縮領域ＮＥＬ３に重複する領域に、それぞれ前方低伸長領域ＮＥＸ１、伸長領域ＥＸ、後方低伸長領域ＮＥＸ２を有する。また、本実施形態における生理用ナプキン１は、厚さ方向Ｔにおいて、伸縮性シート２４に重複する領域に、伸長領域ＥＸを有する。
【００８１】
なお、本明細書において、「低伸長領域」は、「伸長領域」に対して相対的に伸長率の低い領域を指し、この低伸長領域には、相対的に伸長率の低い伸長領域のほか、非伸長領域も含まれる。
【００８２】
また、本実施形態において、生理用ナプキン１は、長手方向Ｌに延びる前方低伸長領域ＮＥＸ１と、後方低伸長領域ＮＥＸ２と、その間に位置する伸長領域ＥＸとを有していたが、本発明に係る吸収性物品は、これに制限されず、例えば上述の前方領域の低伸長領域を伸長領域としてもよい。しかし本発明において、低伸長領域は、吸収性物品の前方側に位置する長手方向の前方の端縁を含む領域と、後方の端縁を含む領域とに存在することが好ましく、かかる構成により、着用者が手で掴み易い長手方向の両端部近傍において、吸収性物品が伸長し難くなっており、着用者が当該吸収性物品をショーツに取り付けて仮固定するときに、精度よく位置決めし易い。
【００８３】
また、本発明において、上述の粘着部配置領域における粘着力は、前記伸長領域を２０％伸長させるのに必要な力よりも大きいことが好ましい。粘着部配置領域における粘着力が、伸長領域を２０％伸長させるのに必要な力よりも大きいと、ショーツが着用者の臀部の形状に応じて一定程度伸長しても（すなわち、２０％以下の範囲で伸長しても）、吸収性物品における伸長領域もショーツから剥離せずにショーツの伸びに追従し易いので、仮固定後に着用者がショーツを臀部に引き上げてショーツを着用した際、吸収性物品における伸長領域がショーツからより一層剥離せずにショーツの伸びに追従し易いので、吸収性物品の位置を修正する必要性が少ない。
【００８４】
ここで、伸長領域を２０％伸長させるのに必要な力は、ＪＩＳ  Ｌ  １９１３：２０１０の「６．３引張強さ及び伸び率」に記載の方法に従って測定することができるが、試験片は、上記の吸収性物品における伸長領域から採取するものとし、つかみ間隔は、６０ｍｍとする。また、裏面シートの非肌対向面に配置された粘着部配置領域の粘着力は、以下の測定法に従って測定することができる。なお、図８は、裏面シートの非肌対向面に配置された粘着部配置領域の粘着力を測定する方法を説明するための模式図である。
【００８５】
＜粘着力測定法＞
（１）吸収性物品から表面シートや吸収体等を剥がし取り、粘着剤を有する裏面シートを取り出す。このとき、裏面シートの肌対向面（すなわち、吸収体側の表面）に付着している接着剤やティッシュ等は、エタノールを浸み込ませた綿棒等を用いて取り除く。
（２）吸収性物品から取り出した裏面シートを、粘着剤の配置された領域（すなわち、粘着部配置領域）よりも大きく且つ定速伸張試験機のチャックが把持する部分を確保できるサイズの長方形状に切り取り、図８に示すような裏面シートサンプル２３Ｓを得る。
（３）試験用被着生地（カナキン３号）を幅７０ｍｍ、長さ８０ｍｍのサイズに切り取り、図８に示すような試験用被着シート１２を得る。なお、試験用被着シート１２のサイズは、上述の裏面シートサンプル２３Ｓのサイズに応じて適宜変更することができる。
（４）試験用被着シート１２の上面に、粘着剤（粘着部９）を有する面が下方側となるように裏面シートサンプル２３Ｓを配置した後、３００ｇのローラーを一方向に１回かけて両者を貼り合わせることにより、積層体サンプル１３を得る。なお、試験用被着シート１２の上面に裏面シートサンプル２３Ｓを配置する際は、図８に示すように、裏面シートサンプル２３Ｓの粘着剤の配置された領域（粘着部配置領域）が、すべて試験用被着シート１２によって覆われるとともに、試験用被着シート１２及び裏面シートサンプル２３Ｓの各々の長手方向における一方の端部が、両者の重複部分からそれぞれ１５ｍｍ以上、長手方向に延出するように、試験用被着シート１２と裏面シートサンプル２３Ｓとを長手方向にずらして配置する。また、貼り合わせる際の速度は、３００ｍｍ／分とする。
（５）得られた試験用被着シート１２と裏面シートサンプル２３Ｓとの積層体サンプル１３を、２０℃、６０％ＲＨの恒温恒湿の雰囲気下で、３０分間放置する。
（６）積層体サンプル１３の長手方向の両端部（すなわち、試験用被着シート１２と裏面シートサンプル２３Ｓとの重複部分から長手方向の相反する二方向に延出する、試験用被着シート１２及び裏面シートサンプル２３Ｓの各々の長手方向における一方の端部）の各々を、定速伸張引張試験機のチャックにより把持した後、積層体サンプル１３を、図８に示すように、積層体サンプル１３の長手方向における相反する二方向Ａ、Ａ’に引っ張って、上述の試験用被着シート１２と裏面シートサンプル２３Ｓとを剥離し、そのときの剥離強度（最大値ｃＮ）を測定する。なお、定速伸張引張試験機の引張試験条件は、チャック間距離を６０ｍｍ、引張速度を５００ｍｍ／分とする。
（７）上述の剥離強度の測定を５回実施し、その平均値を、裏面シートの非肌対向面に配置された粘着部配置領域の粘着力（ｃＮ）とする。
【００８６】
［吸収性物品の製造方法］
【００８７】
以下、本実施形態に係る生理用ナプキン１の製造方法の一部を、図９及び１０を参照して説明する。図９は、本発明の一実施形態に係る生理用ナプキン１の製造装置の全体概略図である。図１０は、本発明の一実施形態に係る生理用ナプキン１の裏面シートの製造装置の模式図である。なお、以下に説明しない方法については、既知の方法を用いることができる。吸収性物品の製造方法は、連続吸収体形成工程と、表面シート貼り付け工程と、裏面シート貼り付け工程と、粘着部塗工工程と、後処理工程とを少なくとも備える。
【００８８】
生理用ナプキン１の製造装置７００は、生理用ナプキン１やそれを構成する資材などの搬送に関し、図９に示すように、生理用ナプキン１やそれを構成する資材などの搬送方向（ＭＤ方向）、搬送方向に直交し搬送面に沿う横断方向（ＣＤ方向）及び搬送方向と横断方向とに直交する上下方向（ＴＤ方向）を有する。「搬送方向の上流側」、「搬送方向の下流側」を単に「上流側」、「下流側」とも称し、「上下方向の上側」、「上下方向の下側」を単に「上側」、「下側」とも称する。
【００８９】
製造装置７００は、生理用ナプキン１やそれを構成する部材（例示：吸収体、表面シート、裏面シート）の搬送を以下のように行う。生理用ナプキン１については、生理用ナプキン１の幅方向Ｗが搬送方向（ＭＤ方向）に沿い、長手方向Ｌが横断方向（ＣＤ方向）に沿うように搬送する。
【００９０】
以下では、生理用ナプキン１又は生理用ナプキン１を構成する部材の搬送中では、搬送方向、横断方向、及び上下方向はそれぞれ幅方向Ｗ、長手方向Ｌ、及び厚さ方向Ｔと重なるので、幅方向Ｗ、長手方向Ｌ、及び厚さ方向Ｔとしてそれぞれ搬送方向、横断方向及び上下方向も用いることとする。
【００９１】
図９に示すように、製造装置７００は、周方向に連続的に連なった形状を有している吸収体（以下、連続吸収体という。）を形成して半製品Ｐ１を得るユニット７００Ａと、前記半製品Ｐ１に表面シート２１を貼り付けて半製品Ｐ２を得るユニット７００Ｂと、前記半製品Ｐ２に裏面シート２３を貼り付けて半製品Ｐ３を得るユニット７００Ｃと、前記半製品Ｐ３に粘着部９を塗工して半製品Ｐ４を得るユニット７００Ｄと、前記半製品Ｐ４に各種後処理を施して生理用ナプキン１を得るユニット７００Ｅとを備える。
【００９２】
［連続吸収体形成工程］
図９に示すユニット７００Ａは、吸収体を連続的に形成する装置等であり、少なくとも積繊装置と、伸縮性シート供給装置と、押圧装置と（いずれも図示せず）、切断装置７０と、搬送ロール７３とを備えている。
【００９３】
ユニット７００Ａは、積繊装置により吸収体の材料となるパルプと高吸収性ポリマー（ＳＡＰ）とを成型して連続吸収体を形成し、さらに当該連続吸収体に、伸縮性シート供給装置及び押圧装置により、連続シート状の伸縮性シートを貼り合わせ、押圧して半製品Ｐ１を形成する。当該半製品Ｐ１は、互いに対面配置されたカッターロール７１及びアンビルロール７２を備えた切断装置７０に供給される。カッターロール７１及びアンビルロール７２は、半製品Ｐ１が供給されると、半製品Ｐ１を、アンビルロール７２の外周面に吸引しつつ搬送しながら、カッターロール７１の切断刃により横断方向に切断して、吸収体２２の形状に個々に分離された半製品Ｐ１を形成する。切断装置７０は、個々に分離された半製品Ｐ１をアンビルロール７２から搬送ロール７３に受け渡す。
【００９４】
［表面シート貼り付け工程］
図９に示すユニット７００Ｂは、前記半製品Ｐ１に連続シート状の表面シートを貼り付けて半製品Ｐ２を得る装置等であり、少なくとも搬送ロール７３と、搬送ベルト７４と、ギア延伸装置（図示せず）とを備えている。
ユニット７００Ｂは、ロールから巻き戻らされた連続シート状の表面シートをギア延伸により延伸し、当該ギア延伸後の連続シート状の表面シートを前記半製品Ｐ１に貼り付けて、半製品Ｐ２を形成する。当該半製品Ｐ２は、搬送ベルト７４により搬送される。
【００９５】
［裏面シート貼り付け工程］
図９に示すユニット７００Ｃは、前記半製品Ｐ２に連続シート状の裏面シートを貼り付けて半製品Ｐ３を得る装置等であり、少なくともロール状に巻かれた加工対象の連続シート状の裏面シートを搬送方向ＭＤに向けて巻き出す巻出装置７５と、巻き出された連続シート状の裏面シートを延伸して壁部Ｂ３及び底部Ｂ２を形成する賦形装置７６と、一対の搬送ロール７７、７８と、搬送ベルト７９、８０と、を備えている。
【００９６】
図９に示すように、賦形装置７６は、上下一対の延伸ロール８１，８２を備えている。上方の延伸ロール８１は、ロール幅方向に一定の間隔で配置され、上方の延伸ロール８１の外周面に沿って相互に平行に複数列設けられた第１の歯８１ａと、隣り合う第１の歯８１ａ，８１ａの間に設けられた複数列の第１の凹溝８１ｂとを備えている。一方、下方の延伸ロール８２は、ロール幅方向に一定の間隔で配置され、下方の延伸ロール８２の外周面に沿って相互に平行に複数列設けられた第２の歯８２ａと、隣り合う第２の歯８２ａ，８２ａの間に設けられた複数列の第２の凹溝８２ｂとを備えている。下方の延伸ロール８２の第２の歯８２ａは、上方の延伸ロール８１の第１の凹溝８１ｂと噛み合うように設けられている。上方の延伸ロール８１の第１の歯８１ａは、下方の延伸ロール８２の第２の凹溝８２ｂと噛み合うように設けられている。
【００９７】
本実施形態において、上下一対の延伸ロール８１、８２における上方の延伸ロール８１は、第１の歯８１ａの先端部分が丸みを帯びた形状を有する一方、第１の凹溝８１ｂの凹溝部分がフラットである。また、下方の延伸ロール８２は、第２の歯８２ａの先端部分がフラットである一方、第２の凹溝８２ｂの凹溝部分が丸みを帯びた形状を有する。
【００９８】
前記ユニット７００Ｃを用い、半製品Ｐ３を得る場合、巻出装置７５から巻き出された裏面シート２３を、賦形装置７６で延伸して賦形加工する賦形工程を行う。
【００９９】
賦形工程は、裏面シート２３を、賦形装置７６において、噛み合いながら回転している上下一対の延伸ロール８１，８２の間に装入し、その連続シート状の裏面シートを、噛み合っている上方の延伸ロール８１の第１の歯８１ａ及び第１の凹溝８１ｂと、下方の延伸ロール８２の第２の歯８２ａ及び第２の凹溝８２ｂとの間で延伸して賦形する。このとき、上方の延伸ロール８１は、第１の歯８１ａが連続シート状の裏面シートと接触している部分を下方の延伸ロール８２の第２の凹溝８２ｂ内に押し込み、これにより壁部Ｂ３が賦形される。一方、下方の延伸ロール８２は、第２の歯８２ａが連続シート状の裏面シートと接触している部分を上方の延伸ロール８１の第１の凹溝８１ｂ内に押し込み、これにより底部Ｂ２が賦形される。
【０１００】
このとき、底部Ｂ２については、第２の歯８２ａの先端部分がフラットであるため、その連続シート状の裏面シートの当接部分がフラットになる。一方、基部Ｂ４については、第１の歯８１ａの先端部分が丸みを帯びているため、その連続シート状の裏面シートの当接部分が湾曲した曲面になる。より具体的には、図１０に示すように、連続シート状の裏面シートの第１面側（すなわち、吸収性物品とした際に肌対向面側の面となる側）は、底部に対応する位置において、延伸されながら第２の歯８２ａの先端部分に沿って賦形される一方、当該裏面シートの第２面側（すなわち、吸収性物品とした際に非肌対向面側の面となる側）は、基部に対応する位置において、延伸されながら第１の歯８１ａに沿って賦形される。また、連続シート状の裏面シートの第２面側は、底部に対応する位置において、必ずしも第１の凹溝８１ｂと接触しておらず、当該裏面シートの第１面側は、基部に対応する位置において、必ずしも第２の凹溝８２ｂと接触していない。その結果、連続シート状の裏面シートにおける延伸ロールの外周面に垂直な断面は、延伸ロールの幅方向に沿って突状部に対応する形状が周期的に並んだ形態になる。なお、本発明に係る吸収性物品の裏面シートの賦形方法は、上述の方法に制限されず、上下各延伸ロールの歯及び凹溝の形状やピッチ、歯と凹溝とを繋ぐ壁面の形状等は、前記第２の歯の先端部分がフラット、且つ、前記第１の歯の先端部分が丸みを帯びた形状を有している限り、適宜変更可能である。例えば、前記壁面の形状を曲面形状としたり、１又は２以上の曲面とフラットな平面との組み合わせとしたりすることもできる。
【０１０１】
本発明において、横断方向（ＣＤ方向）における隣接する下方の延伸ロールの第２の歯同士のピッチは、好ましくは各々の当該第２の歯の高さの２．０倍〜５．０倍、より好ましくは３．０〜４．５倍、さらにより好ましくは３．８〜４．２倍である。横断方向（ＣＤ方向）における隣接する当該第２の歯同士のピッチを、特定の範囲とすることにより、着用者が本実施形態に係る方法により得られた当該吸収性物品をショーツに配置した際、伸長構造領域における壁部とショーツとの距離がより短くなり、着用者がショーツを臀部に引き上げたとき、ショーツとの接触面積をより確保し易いので、伸長構造領域における粘着部の存在と相俟って、着用者がショーツを臀部に引き上げてショーツを着用した際、吸収性物品がショーツからより一層剥離せずにショーツの伸びに追従し易いので、吸収性物品の位置を修正する必要が少なくなる。さらに、かかる方法により得られる連続シート状の裏面シートの伸長構造領域Ｂは、平面視にて壁部Ｂ３の露出が大きく、後述の接着剤を塗工する工程において、壁部Ｂ３にまで略均一且つ効率的に接着剤を塗工することができる。
【０１０２】
ただし、本実施形態では、一対の延伸ロール８１，８２の外周面のうち、連続シート状の裏面シートの後方側に存在する伸長構造領域Ｂに対応する領域のみに歯が形成され、連続シート状の裏面シートの前方側に対応する領域には歯が形成されていない。延伸ロール８１，８２とが同一の周速度で回転しつつ互いの歯を噛み合わせて、これら噛み合った歯の間に連続裏面シートを通すことにより、連続裏面シートを延伸して（ギア延伸処理）、伸長性の連続シートに成形する。それにより、延伸後の連続裏面シートにおける、連続シート状の裏面シートの伸長構造領域Ｂに対応する領域のみに伸長性が発現する。なお、前方側に対応する部分には伸長性は発現しない。
【０１０３】
なお、賦形工程の前に、加工対象の連続シート状の裏面シートを上下一対の加熱ロールで挟み込んで予熱を加える予熱工程を実施してもよい。加熱ロールの外周面の温度は例えば６０〜１２０℃程度とする。また、賦形工程を実施するとき、賦形を行い易いように、延伸ロール８１、８２を６０〜１２０℃に加熱しながら賦形することが好ましい。
【０１０４】
搬送ベルト７９は、前記ユニット７００Ｂから供給された半製品Ｐ２を一対の搬送ロール７７、７８の間に搬送する。接着装置８３は、搬送ベルト７９で搬送される半製品Ｐ２の上側の面に接着剤を塗布する。一対の搬送ロール７７、７８は、互いに対面配置されており、一方の面に接着剤を塗布された半製品Ｐ２上側の面に、賦形装置７６から供給された連続裏面シートを押し付けて貼り付け、連続シート状の表面シート及び裏面シート付き吸収体本体部材、すなわち半製品Ｐ３を形成する。搬送ベルト８０は半製品Ｐ３をユニット７００Ｄへ搬送する。
【０１０５】
［粘着部塗工工程］
図９に示すユニット７００Ｄは、前記半製品Ｐ３に粘着部９を塗工して半製品Ｐ４を得る装置等であり、少なくとも裏面粘着部形成装置８４と、搬送ベルト８５とを備えている。
図９に示すように、ロール８６は、剥離シートになる連続シート状の連続剥離シートＣＴを有しており、下流側の裏面粘着部形成装置８４などで連続剥離シートＣＴが巻き戻されることで、連続剥離シートＣＴを裏面粘着部形成装置８４に供給する。接着装置８７は、裏面粘着部形成装置８４に供給される前の連続剥離シートＣＴの一方の面に、複数の粘着部９を形成するように接着剤を塗工する。裏面粘着部形成装置８４は、互いに対面配置されたカッターロール８８及びアンビルロール８９と、アンビルロール８９に更に対面配置された押圧ロール９０とを備えている。裏面粘着部形成装置８４は、カッターロール８８及びアンビルロール８９との間に接着剤を塗工された連続剥離シートＣＴを供給されると、連続剥離シートＣＴを、アンビルロール８９の外周面に吸引しつつ搬送しながら、カッターロール８８の切断刃によって切断して、それにより複数の粘着部を有する剥離シートを形成する。裏面粘着部形成装置８４は、アンビルロール８９と押圧ロール９０との間に半製品Ｐ３を挟んで搬送方向に搬送しつつ、Ｐ３の上側、すなわち裏面シート上に剥離シートを押し付けて貼り付けて、剥離シート付きＰ３、すなわち半製品Ｐ４を形成する。この時、接着剤を塗工する際に連続シート状の裏面シートの下側には吸収体２２が存在するので、押圧ロール９０が連続シート状の裏面シートの伸長構造領域Ｂにおける突状部Ｂ１に押し付けられても、吸収体２２のクッション性により連続シート状の裏面シートの凹凸が吸収され、壁部Ｂ３にまで略均一に接着剤が塗工される。
【０１０６】
なお、本発明における吸収性物品の製造方法における粘着部塗工工程は、壁部に接着剤が塗工される限り上述の態様の制限されず、例えばスプレー塗工等の他の態様であってもよい。
【０１０７】
［後処理工程］
搬送ベルト８５は、半製品Ｐ４をフラップ形成装置、周囲封止装置、周囲切断装置（いずれも図示せず）等の各種後処理装置を含むユニット７００Ｅに搬送し、生理用ナプキン１が得られる。
【０１０８】
なお、本発明の吸収性物品は、上述の実施形態や例示的記載に制限されることなく、本発明の目的、趣旨を逸脱しない範囲内において、適宜組み合わせや変更等が可能である。
また、本発明は、上述の実施形態の生理用ナプキンのほかに、例えば、パンティライナー、（軽）失禁パッド等の様々な吸収性物品に適用することができる。なお、本明細書において、「第１」、「第２」等の序数は、当該序数が付された事項を区別するためのものであり、各事項の順序や優先度、重要度等を意味するものではない。
【符号の説明】
【０１０９】
１    生理用ナプキン（吸収性物品）
２    吸収本体部
２１    表面シート
２２    吸収体
２３    裏面シート
２４    伸縮性シート
３、３’    フラップ部
４、４’    粘着部
５    前方端縁部
６    後方端縁部
９    粘着部
１０    非粘着部
１１    粘着部配置領域
Ａ１    前方領域
Ａ２    排泄口対応領域
Ａ３    後方領域
Ｂ    伸長構造領域
Ｂ１    突状部
Ｂ２    底部
Ｂ３    壁部
ＥＬＡ    伸縮領域
ＮＥＬ１    前方非伸縮領域
ＮＥＬ２    非伸縮領域
ＮＥＬ３    後方非伸縮領域
ＮＥＸ１    前方低伸長領域
ＥＸ    伸長領域
ＮＥＸ２    後方低伸長領域
Ｓ    スリット部
【図１】
0006395763.tif 000002
【図２】
0006395763.tif 000003
【図３】
0006395763.tif 000004
【図４】
0006395763.tif 000005
【図５】
0006395763.tif 000006
【図６】
0006395763.tif 000007
【図７】
0006395763.tif 000008
【図８】
0006395763.tif 000009
【図９】
0006395763.tif 000010
【図１０】
0006395763.tif 000011